(57)【要約】【課題】天板の面内に継ぎ目や段差を生じさせることがなく、単一の部材で表面平滑な構造とし、且つ、天板の外周側の損傷等を生じ難い構造とすること。【解決手段】家具本体１１の上部に天板支持体１２を介して天板１３が配置されている。天板支持体１２は打ち抜き部２８を備えた形状をなし、天板１３は、打ち抜き部２８に略対応する透明領域１３Ａと、この外周側に位置して天板支持体１２を隠蔽する着色領域１３Ｂとを備える。また、天板１３は、天板支持体１２の外周縁に略一致する大きさに設けられている。【選択図】          図３
2004180730.tif 000002
【特許請求の範囲】
【請求項１】
家具本体の上部に配置されるとともに、打ち抜き部を備えた天板支持体と、この天板支持体の上部に支持されるとともに透明な材料によって形成された天板とを含む天板付き家具において、
前記天板は、外周側に着色領域を備えて構成され、この着色領域内に前記天板支持体が位置するとともに、当該天板支持体の外周縁に略一致する大きさに設けられていることを特徴とする天板付き家具。
【請求項２】
前記天板支持体の外周に縁取り部材が設けられ、前記天板の上面位置は、前記縁取り部材の上端位置よりも上位となるように配置されていることを特徴とする請求項１記載の天板付き家具。
【請求項３】
前記天板支持体の外周に縁取り部材が設けられる一方、前記天板の上面側外周端部は外側に向かって傾斜する面取り部として形成され、
前記面取り部の外周端位置は、前記縁取り部材の上端内縁位置に略一致するように設けられていることを特徴とする請求項１又は２記載の天板付き家具。
【発明の詳細な説明】
【０００１】
【発明の属する技術分野】
本発明は天板付き家具に係り、更に詳しくは、天板の面内に透明領域が形成されて家具本体の上部領域を透視することのできる天板付き家具に関する。
【０００２】
【従来の技術】
従来より、小売店等の店内で商品陳列や値札付け作業等を行う際に用いることに適したワゴン形状の作業台が知られている。この作業台は、下端部にキャスターを設けて移動可能に設けられているとともに、天板の下部領域に引き出しが設けられた構成となっている。そして、天板を透明な材料によって形成することで、最上位の引き出し内部が上方から透視可能な構成が採用されている。
【０００３】
図６及び図７には、このような作業台の従来例が示されている。この作業台は、下端部にキャスター６０がそれぞれ設けられた四本の脚体６１と、これら脚体６１の上部に配置された引き出し６２とからなる家具本体６３と、当該家具本体６３の上端部に略方形の枠状をなす天板支持体６４を介して配置された天板６５とにより構成されている。天板６５は、アクリル樹脂等の板状成形品により透明に設けられており、当該天板６５を通じて最上位の引き出し６２内が透視できるようになっている。
【０００４】
【発明が解決しようとする課題】
しかしながら、前記作業台にあっては、天板支持体６４の上面に天板６５を載せ置いた状態で上面側が面一に連なるようにする段部６４Ａが天板支持体６４の上面内周側に形成されているため、天板６５の外周縁に沿って継ぎ目６７が平面視で略方形に形成されてしまうこととなる。従って、天板６５の上面に用紙を置いて所要の筆記作業を行うときに、継ぎ目６７に対応する用紙位置で段差を生じたり、筆記する線の直線性等が乱れたりするという不都合を招来する。しかも、継ぎ目６７よりも外側領域は、天板支持体６４の上面が表出することとなるため、上面全域が単一の部材でフラットに形成できないものとなる。
【０００５】
【発明の目的】
本発明は、このような不都合に着目して案出されたものであり、その目的は、天板の面内に筆記作業等に支障をきたすような継ぎ目を生じさせることがなく、単一の部材による天板の面積拡大を図って筆記利用領域を最大限に確保することのできる天板付き家具を提供することにある。
【０００６】
本発明の他の目的は、透明な天板の一部に着色領域を設けて天板支持体を上面側から隠蔽することができ、例えば、天板下に引き出しを配置したときの当該引き出し内を上方から透視することのできる天板付き家具を提供することにある。
【０００７】
本発明の更に他の目的は、天板の作業有効面積を最大限にしても、当該天板の外縁側を欠損し難い構造とすることのできる天板付き家具を提供することにある。
【０００８】
【課題を解決するための手段】
前記目的を達成するため、本発明は、家具本体の上部に配置されるとともに、打ち抜き部を備えた天板支持体と、この天板支持体の上部に支持されるとともに透明な材料によって形成された天板とを含む天板付き家具において、
前記天板は、外周側に着色領域を備えて構成され、この着色領域内に前記天板支持体が位置するとともに、当該天板支持体の外周縁に略一致する平面形状に設けられる、という構成を採っている。このような構成とすることで、フラットな天板面だけで筆記作業等を行う作業領域を形成することができ、段差を生じさせることがない。しかも、天板支持体を天板の着色領域で隠蔽することができる。また、天板支持体に形成された打ち抜き部を通じて家具本体の上部側を上方から透視することができる。従って、家具本体の上部に引き出しを配置した場合には、当該引き出し内を上部より透視可能となる。また、天板が天板支持体の外周縁に略一致する平面形状に設けられていることで、当該天板の支持面が大きく確保できることとなり、天板の上面から荷重が加えられても当該天板に大きな曲げ応力が作用することもない。
【０００９】
【発明の実施の形態】
本発明において、前記天板支持体の外周に縁取り部材が設けられ、前記天板の上面位置は、前記縁取り部材の上端位置よりも上位となるように配置される、という構成を採っている。このようにすると、縁取り部材を設ける構造としても、天板の上面に存在する塵を外側に掃き出すようにして清掃することができる。
【００１０】
また、本発明は、前記天板支持体の外周に縁取り部材が設けられる一方、前記天板の上面側外周端部は外側に向かって傾斜する面取り部として形成され、
前記面取り部の外周端位置は、前記縁取り部材の上端内縁位置に略一致するように設けられる、という構成を採ることが好ましい。これにより、天板の上端外縁に作業用具等がぶつかっても、当該部位における天板の欠損を効果的に回避することができ、また、天板の外縁を掴んで家具を移動させるときに、手の平に天板の上端外縁が強く食い込むようなことも防止することができる。
【００１１】
【実施例】
以下、本発明の実施例を図面を参照しながら説明する。
【００１２】
図１には、本発明に係る天板付き家具が商品陳列や値札付け作業等を行うための作業台に適用された実施例の概略斜視図が示され、図２には、そのＡ−Ａ線に沿う断面図が示されている。これらの図において、作業台１０は、家具本体１１と、当該家具本体１１の上部に天板支持体１２を介して支持された天板１３とを備えて構成されている。
【００１３】
前記家具本体１１は、下端部にキャスター１５がそれぞれ取り付けられた四本の脚体１６と、これら脚体１６の上部側に設けられた左右一対の側板１７，１７と、当該側板１７，１７の後端部間及び下端部間に設けられた背板１８及び底板１９と、これら側板１７，１７、背板１８及び底板１９とによって囲まれる内側領域に位置して前後に出し入れ可能に設けられた上下二段の引き出し２０，２０と、前記脚体１６の下部内方領域に取り付けられた受け台２１とにより構成されている。
【００１４】
前記天板支持体１２は全体としてスチール等の金属を用いて板金加工されたものであり、図３及び図４に示されるように、上部枠部材２５と下部枠部材２６と、これら上部枠部材２５及び下部枠部材２６を一体化させるための連結手段２７とからなる。上部枠部材２５と下部枠部材２６は、略上下対称構造となっている。従って、以下では、上部枠部材２５について説明することとし、下部枠部材２６の構成部分については同一符号を用いて説明を省略する。
【００１５】
上部枠部材２５は、略方形の輪郭を形成するように内側に略方形の打ち抜き部２８を備えた平面部２９と、この平面部２９の各コーナー領域を除く外周縁に連なって当該平面部２９の面と略直交する方向に向けられた外側面部３０とからなり、当該外側面部３０の先端側（図５中下端側）は、僅かに内向きとなる曲面部３０Ａとして形成されている。なお、打ち抜き部２８の大きさは、特に限定されるものではないが、前記引き出し２０の内部を見ることができる程度の大きさに設けられている。
【００１６】
前記連結手段２７は、前記上下の枠部材２５，２６の相対面において、打ち抜き部２８の形成縁に沿って当該打ち抜き部２８回りに設けられた四本の断面略Ｚ型の連結ブラケット３４と、各枠部材２５，２６のコーナー近傍に配置された略方形の板状をなす連結片３６とにより構成されている。この連結片３６は、その面の向きが、打ち抜き部２８の中央部と前記コーナーとを結ぶ仮想直線に沿って位置するように配置され、これにより、連結片３６が板状の片部材であっても天板支持体１２のコーナー領域における強度維持が図られるようになっている。なお、連結ブラケット３４と連結片３６は、上下の枠部材２５，２６に対して溶接等の手段で固定することができる。
【００１７】
前記天板１３は、本実施例では、アクリル樹脂製の透明プレートにより構成され、接着等の手段を用いて上部枠部材２５の平面部２９に固定されている。この天板１３は、平面視略方形をなし、その外縁が前記天板支持体１２の外周縁に略一致する大きさに設けられている。天板１３は、打ち抜き部２８に略対応する領域が透明領域１３Ａとされる一方、この透明領域１３Ａの外周領域、すなわち、上部枠部材２５の平面部２９に略対応した下面側の領域に印刷等の手段による着色領域１３Ｂが形成されている。この着色領域１３Ｂは、ユーザーの要求に応じて所望の色を付することができるとともに、天板支持体１２の上面側を隠蔽するように機能する。また、天板１３の上面側外周端部は、外側に向かって緩やかな湾曲形状を描くように傾斜する面取り部４０として形成されている。この面取り部４０の外終端位置４０Ａは、図５に示されるように、前記天板支持体１２の外周に設けられた縁取り部材４２の上端内周縁４２Ａに略一致するように設けられている。
【００１８】
前記縁取り部材４２は、天板支持体１２に取り付けられた状態で、面方向が略鉛直面内に位置する細長い片状をなす本体面４３と、この本体面４３の一方の面から突出する突片４４とにより構成されている。突片４４は、前記上部枠部材２５と下部枠部材２６における外側面部３０，３０に略対応する領域に設けられており、その上下両面側には、外側面部３０，３０間に強制的に挿入される略鋸歯状部４５が形成され、これにより、縁取り部材４２を天板支持体１２に取り付けた後の脱落防止が図られるようになっている。なお、縁取り部材４２は天板支持体１２の外周長さに対応する長さを有しているとともに、取り付け前の状態では、全体が直線状に延びる軟質の樹脂成形品によって構成されている。この縁取り部材４２は、天板支持体１２の外周に沿って巻き掛けるように力を付与したときに折れ曲がりながら当該天板支持体１２の外周に密着するように取り付け可能となっている。
【００１９】
以上の構成において、本実施例に係る作業台１０は、天板１３の透明領域１３Ａを通じて引き出し２０の内部を透視することができるとともに、天板１３の上面を利用して筆記作業等を行うことができる。この際、天板１３の面内には、継ぎ目等が一切存在しないものとなることから、使用領域が制限されるようなことはない。また、天板１３に設けられた着色領域１３Ｂによって天板１３に装飾的な効果を付与することができるようになり、家具本体１１側との色のコントラストを図ってユーザーにおける購買意欲を惹起せしめ、生産活動を活発化を期待することができる。
【００２０】
更に、天板１３の上面位置を縁取り部材４２の上端位置よりも上位とし、当該上端位置よりも上方位置となる天板１３の上面側外周端部に緩やかな湾曲面をなす傾斜状の面取り部４０を設けていることで、当該部位に作業用具等がぶつかっても、部分的な欠損等を生ずる虞も効果的に防止することができ、天板１３の上面平滑度を長期に亘って保つことも可能となる。しかも、緩やかな湾曲面であることから、当該部位を掴むようにしても、手の平に優しく接触するようになる。
【００２１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、相対位置、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
例えば、前記実施例では、天板１３がアクリル樹脂製の板材によって構成された場合を説明したが、その他の樹脂或いはガラスを用いることも妨げない。特に、ガラスを天板に用いた場合には、外周上端に面取り部を設けることの効果、すなわち、欠損防止による安全性を高めることができる。
また、前記実施例では、天板支持体１２が上部枠部材２５及び下部枠部材２６とを連結手段２７で一体化させるものとしたが、当該天板支持体１２は、天板１２を支持するに足りる強度が確保できる限り、単一の部材で構成することでもよい。
【００２２】
【発明の効果】
以上説明したように、本発明によれば、段差を生じさせることがなく作業面積を最大限に確保すことができるるとともに、家具本体の上部を透視することができる。また、天板の支持面も十分に確保して天板の曲げ強度維持を図ることが可能となる他、天板外周領域の保護も行うことが可能になる、という従来にない優れた効果を奏する天板付き家具を提供することができる。
【図面の簡単な説明】
【図１】実施例に係る作業台の概略斜視図。
【図２】図１のＡ−Ａ線矢視断面図。
【図３】天板支持体及び天板の拡大断面図。
【図４】図３の分解斜視図。
【図５】天板とエンド部材との相対位置を示す拡大断面図。
【図６】従来の作業台を示す概略斜視図。
【図７】図６のＢ−Ｂ線矢視断面図。
【符号の説明】
１０  作業台（天板付き家具）
１２  天板支持体
１３  天板
２０  引き出し
２５  上部枠部材（天板支持体）
２６  下部枠部材（天板支持体）
２７  連結手段（天板支持体）
４０  面取り部
４０Ａ  外周端縁
４２  縁取り部
４２Ａ  上端内周縁
【図１】
2004180730.tif 000003
【図２】
2004180730.tif 000004
【図３】
2004180730.tif 000005
【図４】
2004180730.tif 000006
【図５】
2004180730.tif 000007
【図６】
2004180730.tif 000008
【図７】
2004180730.tif 000009